(57)【要約】【課題】  本発明は、一定量の空気圧力による薬液栄養流動食物の液送技術がなかった。よって一定量の空気圧力による液送技術を達成して病人、患者の口中、胃内部へ直接薬液、飲料水、又は栄養流動植物を送り込むシステムの発明。【解決手段】  本発明は、自動エアーポンプによる薬液、飲料水、又は栄養流動食物を自動空圧技術で医療、介護を受ける病人、患者の口中、又は胃内部に送り込むシステムでこの空圧システムはエアーポンプ、エアー管、コック、エアー管、容器、流動物導管、コック、流動物導管、点滴装置、流動物導管、コック、飲含導管から成る医療、在宅介護システムとして考察、考案、設計、製作、実験をもって本発明をなすに至った。【選択図】  図１
2014226356.tif 000002
【特許請求の範囲】
【請求項１】
一定量の気圧点滴で成る医療、経口、非経口、薬液、栄養剤投与システムであって、自動エアーポンプ、導管、エアー管、容器、導管、点滴装置、流動物導管、コック、飲含導管の各部品から構成されるシステムである。
このシステムは、ＩＣＵ，ＣＣＵ，ＮＩＣＵでの栄養補給や輸血、化学療養法剤、麻薬剤、ホルモン剤、ワクチン等の薬液注入を高い精度で行うシステムで超微量維持点滴が成る医療、在宅介護システムである。
【請求項２】
請求項1の各部品から成るシステムである為、医療、在宅介護で必要な薬液を空圧技術で液送される為、点滴装置でその流量を目測してコックにて調節して投与、摂取させることができ、また正確に医療介護を受ける病人、患者の口中または胃内部に送り込むシステムで、その流量を点滴装置で目測して（コック）その流量は0.005から0.05の範囲で調節できる。常に一定量の空気圧で駆使できる超微量維持点滴が成る医療、在宅介護システムである。
医療、在宅介護システムである。
【請求項３】
医療、経口、非経口、薬液、栄養剤投与システムで医療、在宅介護システムは空圧技術で行う為、100ＨＧ、120、140、160、180、200、220、240、260、280、300ＨＧの数値にて選択し液送される為に医療、在宅介護の求めている数値で最高血圧を基に求めた数値であって、100ＨＧから300ＨＧの数値が極めて安全、安心、正確な数値である。人類の平均血圧は120ＨＧである。
【請求項４】
医療、経口、非経口、薬液、栄養剤投与システムは1、エアーポンプ2、エアー管3、コック4、エアー管5、容器6、導管7、点滴装置8、流動物導管9、コック10、飲含導管からなるシステム装置であって自動エアーポンプで100ＨＧから300ＨＧの数値にて液送されるため投与、摂取させることができる衛生的な医療在宅介護システムである。  
病人、患者の体位や高低差に関係なく超微量維持点滴が成る医療、在宅介護システムである。
【請求項５】
本発明は医療、経口、非経口、薬液、栄養剤投与システムで医療、がん治療、光学治療、放射線治療等様々なシステム、治療に応用できる他、ＩＣＵ，ＣＣＵ，ＮＩＣＵでの、栄養補給や輸血、化学療法剤、麻酔剤、ホルモン剤、ワクチン等の薬液注入を目的とした超微量注入システムであって0.005/分×60分×24時間=7.2mlの精度で成る。また0.005/0.5分×60分×24時間＝3.6mlの液送がなる超微量持続注入システムである。0.05から0.005までの自動流量調節にて投与、摂取がなるため、医学、理化学、生理学、細胞学、研究においても化学分析、混合、試薬の点滴がなること。他IPS細胞技術に本システムが極めて精巧なシステムである為に細胞学、IPS細胞に関する超微量維持点滴がなり、応用できる請求項1のシステムである。
【発明の詳細な説明】
【技術分野】
【０００１】
栄養剤のチュ―ブフィーディングには、栄養剤を蓄えて置くための投与用容器（イルリガ―トル）、及び栄養剤を胃部、腸部へ送液するためのチューブが必要である。この投与容器は容器底部に送液口（チューブ接続部）、容器上部は栄養剤の入れるため大きく開口した、いわゆる筒抜けの構造となっているのが通常である。（1）投与用容器をつるすための掛け具（点滴スタンド、フック等）が必須であり、在宅医療には向かないこと、（2）投与用容器に栄養剤を入れ込むためには、前もってチューブを底部送液口に接続しなければならないこと（この操作をしないと、栄養剤が漏れ出る。また、チューブを接続したとしても、クレンメ等のチューブ送液遮断具が止まってないと直ちに送液がされ、チューブ後端から漏れ出ることもある）（3）粉末栄養剤を用いる場合には、調剤用に別の器具（シェイキングボトル、ボールと泡立て器等）が必要であること、（4）投与容器は投与のみの役割しかなく、作り置いた栄養剤を保管することはできない（冷蔵庫等への保管には、調剤時と同様、別容器が必要）ことなどの問題があった。特開2000−312722の中で述べている。
【背景技術】
【０００２】
世界人口は７０億人に達し、現在その内30％が医療を受けている状態であって、日本においても高齢化社会と進み必然的に医療、介護を受ける立場の人々が増えてくる。現在の医療、介護用品はシステムとして完成されていないため業界は大変苦慮しているところであります。よって研究開発が急務であります。
【０００３】
2012年最先端医療の普及促進をめざし日本と韓国が医療特区を導入してから、ともに10年がたつ。神戸市の先端医療産業特区では、病院や研究機関、創薬の企業などが集積し、韓国、原州（ウォンジュ）市の医療機特区は、医療機輸出の一大拠点に成長した。だが、発展のスピードは韓国が日本の先を行き、日本の遅れと問題点も目立つ。「ポートアイランド」に2003年に国が指定した構造改革特区の一つに「先端医療産業特区」がある。病院、研究所、振興企業育成施設が集まり、約230の医薬品や医療機器メーカーが進出した。IPS細胞（人工多能性幹細胞）による世界初の臨床研究を目指す理科学研究所もあり、先端医療、医薬品、医療機器の開発に約5200人が働く。「研究機関と病院がそろい、様々な知識や技術を持つ人たちと交流できる」が日本の現状で終末期の医療、介護の問題が生じてもその課題について新しい技術の解決策を見いだせない。
【０００４】
例えば胃ろうの問題は厚生労働省の委託事業として実情を調査し試案をまとめているが、その解決策が見当たらず現在に至っても胃ろう以外の選択肢が示されず、胃ろうに代わる解決策がない為に、医師に言われるまま胃ろうを選択せざる得ない。例えば胃ろうに代わる新しい技術開発ができるとすれば、Ａ案、Ｂ案、の選択肢が生まれて人工栄養の導入について医療、介護における意思表示決定は病人、患者側から発信できる。
【０００５】
（2013年5月８日読売新聞記事）日本の医療は確実に危機が忍び寄っている。地域や診療科による医師の不足や偏差は深刻したままで、急増する救急患者の対策も不十分で公的医療保険制度は財源不足で黄色信号である。日本の医薬品と医療機器は国際競争力に打ち勝てず3兆円もの貿易赤字で日本の成長の足かせとなっている。医療で今、求められることは何が必要かを問われている。公であって、安全であって、安心できる医療介護システムの研究開発で日本は今世界に通ずる医療機器の開発が急務であります。読売新聞社は医療改革に関する5項目の提言を発表した。
1、医療を成長のエンジンに。    「医薬品と医療機の競争力を高めよ」
2、優れた研究成果を生かせ。    「医工連携で技術革新を」
3、安全、安心の日本ブランド    「高度技術で海外に打って出よう」
4、産業化で地域医療を元気に。  「情報通信技術や特区を活用」
5、国民皆保険を堅持しよう      「混合診療の拡大で新技術を促進」
読売新聞社の医療に関する提言は「医療は公共材」との視点から医療体制の確立を目指した2008年10月の提言に続くものだ。日本の2010年度の医療費は37兆円に達した。高齢化や技術の進歩に伴う医療費の高額化で25年度には62兆円に膨れ上がると言う。突き詰めれば財源不足にいきあたる。医療周辺の医薬品、医療機器、健康産業などを含めその産業化をはかり世界に向かっての競争力をつけるべきで新しい医療機器の研究開発が急務であります。
【０００６】
よって之を達成すれば国際競争力に勝つことができ日本の技術が世界に向かって発信できる。日本は国策として実行すべきだ。地球上に人類が生存している限り生命に関する事業がもっとも身近な問題であることを認識すべきこと成り。
【先行技術文献】
【特許文献】
【０００７】
【特許文献１】特開２０００−３１２７２２号公報
【発明の概要】
【発明が解決しようとする課題】
【０００８】
本発明は、次の難題を解決する。１分×0.005×60分×24時間＝7.2ml（誤嚥を無くすこと）
（イ）従来の医療、介護機器は一定量の空気圧力による液送技術はなかった。病人、患者の口中、胃内部へ直接、薬液、飲料水、又は栄養流動食物を送り込むことができなかった。
（ロ）医療者と介護者と介護を受ける病人、患者との呼吸が合わず、安全で正確に飲ませ与えることができなかった。
（ハ）医療、介護者は病人患者の口以上の高さから自然に重力落下で液体を流すもので、常に上から流し与えるほかなかった。
（ニ）医療、介護において病人、患者に飲料水、栄養流動食物又は、特に比重の重いゲル状のものを飲み与えることができなかった。
（ホ）医療、介護者が、強制的に薬液、飲料水,又は栄養流動食物を与えようとするとき、患者が食べる意思のない場合は飲み与えることはできなかった。
へ、重力落下で与える為に必要以上に液体が流れる。約3CCから5CCの液体が一気に流れ口中に入ると、誤嚥を生じ常に誤嚥を生じ誤嚥性肺炎になる確率が高い。これらの欠点を解決するため本発明に至り、本発明は空気圧力技術にて輸血、薬液、飲料水、又は栄養流動食物を空気力学の技術を持って病人、患者に0.005mlから0.05ml投与、摂取がなるための医療、介護に関するシステムの発明である。よって本発明は誤嚥をなくす医療、介護に関するシステムの発明であって多方面の医療、介護に関する医療機器の開発に応用できる本発明である。
（１）輸血、液送、医薬品の投与摂取。
（２）医療、介護に関する一定量の空圧でなる液送技術。
【０００９】
点滴滴下表１及び表２にて説明する。
【００１０】
【表１】
2014226356.tif 000003
【００１１】
【表２】
2014226356.tif 000004
【００１２】
本発明は上記問題に取り組み、本発明は空気圧力の技術と空気減圧の技術を持って医療、経口、非経口、薬液、栄養剤投与システムであって自動エアーポンプによる液送であるため、医療機器の進化に繋がり0.005から投与、摂取ができ正確で安全、安心できるシステムである。
【課題を解決するための手段】
【００１３】
本発明は、自動空気圧による液送がなるシステムで、合わせて空気圧で液送がなる技術的システムであって、従来の自然、重力落下に変えて薬液、飲料水、又は栄養流動食物を自動空圧技術で医療、介護を受ける病人、患者の口中、又は胃内部に送り込むシステムでこの空圧システムは自動空圧ポンプ、エアー管、コック、エアー管、容器、流動物導管、コック、流動物導管、点滴装置、流動物導管、コック、飲含導管から成る医療、在宅介護システムとして考察、考案、設計、製作、実験をもって本発明をなすに至った。
【００１４】
本発明は自動空圧液送でなるシステムである為、比重の重い流動食物、ゲル状の物から液体まで圧力差（100ＨＧから300ＨＧ）で液送されてくる為に病人、患者の体位置に関わらず、点滴装置でその流量を確認でき、その流量も0.005から0.05その時の圧力は、表３にて説明する。
【００１５】
【表３】
2014226356.tif 000005
【００１６】
安全で正確に医療、介護を受ける病人、患者に飲み与えることができる技術的空圧システムである。その為、従来用いていた投与容器を吊るすための掛け具（点滴スタンド、フック等）が不要になり医療、在宅介護に適したシステムである。
【００１７】
本発明は自動空圧でなる医療、介護に関することで圧力の圧力差、圧力比によって流量を自由にかえることができ、その流量を点滴装置で目視ができコックにてその流量を目測調整してその好む流量に決定し投与、摂取がなる医療、在宅介護システムである。
【００１８】
本発明の医療、経口、非経口、薬液、栄養剤投与システムは医療、介護を受ける病人、患者の好みにより本システムの飲含導管の径の大小と長さを変えて投与、摂取することができる。よって医療、介護作業が確実に且つ快適に行える投与、摂取システムである為、医療を楽しくしたり、介護も楽しくする。
【００１９】
この本発明の医療、経口、非経口、薬液、栄養剤投与システムは薬液、飲料水、又は流動食物等が外部の空気に触れずに投与、摂取がなる為、極めて衛生的で安全なシステムで在宅介護に適している。
【発明の効果】
【００２０】
以上述べた通り本発明は、自動空圧技術で医療、介護に必要な薬液、飲料水、栄養流動食物等を液送する技術であって、空圧差を利用して液送して一定量の薬液、飲料水、又は流動食物を点滴装置でその流量を目測してコックにて調整して安全で正確に医療、介護を受ける病人、患者の口中又は胃内部に送り込むことが可能に成る。医療、介護者が飲ませ与える作業が確実に行える為、医療、介護作業を楽しくする。よって次のことが可能に成る。  1分１滴   0.005ml×60分×24＝7.2mlである。
（イ）一定量の薬液、飲料水、又は流動食物を安全で正確に投与、摂取ができ医療、介護を受ける病人、患者の口中、又は胃内部に送り込むことが可能である。
（ロ）一定量の薬液、飲料水、又は流動食物を点滴装置で目測しコックにて調整して安全に投与、摂取させることができる。
（ハ）介護者の作業が点滴装置で確認でき、その流量をコックにて調節して病人患者に投与、摂取することができ、誤嚥を少なくできる。
【００２１】
１分１滴  0.005ml×60分×24時間＝7.2ｍｌであり超微量投与摂取となる為、誤嚥は起さない。
（ニ）投与摂取の作業時間の短縮が可能であって極めて安全、安心な空圧システムである。
（ホ）自動空圧で成る液送技術である為、比重の重い薬液、飲料水、又は流動食物が、空圧液送である為に確実に投与、摂取できる。
（へ）医療、介護を受ける病人、患者の体位置又は高低差に関係なく投与、摂取が成るシステムである。
（ト）常に一定量の薬液、飲料水、又は流動食物を必要に応じて投与、摂取させることができるため病人、患者の延命に繋がる。
（チ）本システムは分割した部品で構成されているので分割ができ、洗浄し消毒して衛生的に保管ができる。
（リ）病人、患者の意思によらず薬液、飲料水、又は流動食物を投与、摂取させることができる。
【００２２】
本発明は世界70億の生と死の環境化でその効果をもたらすもので全人類の悲願であります。
【図面の簡単な説明】
【００２３】
【図１】本発明の全体のシステム構造図である。
【図２】本発明のシステムの使用説明図である。
【発明を実施するための形態】
【００２４】
以下本発明の実施例を説明する。
【００２５】
本発明は自動空圧で成る医療、在宅介護システムである。（1）弁付き空気口を設けた自動空圧ポンプ又は手動空圧ポンプ（2）を設けその一端より空気導管（3）を設けコックを設ける。空気導管（4）を設けその先容器の栓を通じ本体（14）内部に設ける。（ロ）本体（14）より底部流動物導管を栓に通じその先コック（12）に通ずる。点滴装置（10）の上部に接続して流動物導管（8）を設ける。（ハ）本体（14）に流動食レベルを設ける。（二）点滴装置（10）の下部流動物出口より流動植物導管（11）をコック（12）の出口より飲含導管（13）を設ける。その先病人、患者の口中又は胃の内部に達する。本発明は空圧技術システムでなる構造でこれを使用する時には本体（14）内に飲料水、又は栄養流動食物レベル（16）まで入れ、蓋（15）をして密閉する。次に飲含導管（13）を医療、介護を受ける病人、患者の口中又は食道を通じ胃内部まで通す。次に自動空圧ポンプにより100ＨＧから300ＨＧの空気圧を加えると圧力空気は空気導管（3）を通り本体（14）内に入る。本体（14）の圧力は100ＨＧから300ＨＧの圧力である為、飲料水、又は栄養流動食物の液体状の飲料食物が空圧されて流動植物導管を通じコック（12）まで送られてくる。その先点滴装置（10）で流量が調整されて流動植物導管(11)を通りコック（12）まで送られてくる。その先コック(12)を開いて医療、介護を受ける病人、患者の胃内部に送液がなる。よって胃内部に流入することがなり延命に繋がる医療、在宅介護システムである。
【図１】
2014226356.tif 000006
【図２】
2014226356.tif 000007